(57)【要約】【課題】カードを台紙で挟んだ状態の容器で保護することができ、開封および取出しが容易なカード容器を提供することを課題とする。【解決手段】表側台紙および裏側台紙の間にカードを収納することのできるカード容器であって、容器の中央部分にはカードが収納される領域を設けてあり、容器の上部中央には吊り下げ用の、下部が直線となった穴を有しており、表側台紙には吊り下げ用穴とカードが収納される領域との中間に、吊り下げ用穴の下側端部の辺の一方の端部から、容器下方に伸び、カードが収納される領域近傍で水平方向に伸び、さらに容器上方に伸びて、吊り下げ用穴の下側端部の辺のもう一方の端部に至る、ミシン目で囲んだ領域を設けてあり、裏側台紙には吊り下げ用穴の下側の辺の両側２箇所から、カードが収納される領域に向けて下方に伸びる２本のミシン目を有していることを特徴とするカード容器である。【選択図】図１
2017039538.tif 000002
【特許請求の範囲】
【請求項１】
表側台紙および裏側台紙の間にカードを収納することのできるカード容器であって、
容器の中央部分にはカードが収納される領域を設けてあり、
容器の上部中央には吊り下げ用の、下部が直線となった穴を有しており、
表側台紙には吊り下げ用穴とカードが収納される領域との中間に、吊り下げ用穴の下側端部の辺の一方の端部から、容器下方に伸び、カードが収納される領域近傍で水平方向に伸び、さらに容器上方に伸びて、吊り下げ用穴の下側端部の辺のもう一方の端部に至る、ミシン目で囲んだ領域を設けてあり、
裏側台紙には吊り下げ用穴の下側の辺の両側２箇所から、カードが収納される領域に向けて下方に伸びる２本のミシン目を有しており、
カードが収納される領域以外で、表側台紙と裏側台紙とが互いに接着されていることを特徴とするカード容器。
【請求項２】
表側台紙および裏側台紙が、折りたたみ線を介して連続した一枚の台紙からなることを特徴とする請求項１に記載のカード容器。
【請求項３】
カードが収納される領域が、台紙に凹部を設けてなることを特徴とする請求項１または請求項２に記載のカード容器。
【請求項４】
表側台紙または裏側台紙の、カードが収納される領域の一部に、透視窓が設けてあることを特徴とする請求項１〜請求項３のいずれかに記載のカード容器。
【発明の詳細な説明】
【技術分野】
【０００１】
本発明はカード容器に関するものである。とくに商品としてのカードまたはカード状の商品を収納して陳列、販売し消費者が購入して後、あるいはカードが消費者の手元に届いて後、カードを容器から取り出す際には容易に取り出すことのできるカード容器に関するものである
【背景技術】
【０００２】
現代社会は様々な分野で、様々な目的、機能を有したカード、あるいは商品としてのカードが普及しており、使用されている。カードが他の商品券、クレジットカードやプリペイドカード、会員カードやポイントカードなど、すでに日常生活にカードは不可欠なものとなっている。とくに最近では、電子マネーといった商品もさまざまなタイプのものが普及しはじめており、コンビニエンスストアなどに専用の陳列棚が設けられている。
【０００３】
カードは多くの場合、たとえばプリペイドカードや電子マネーのように金銭と同様の価値を有するものもあり、慎重な取り扱いが要求される。また万一流通過程や消費者の手元に届く前に開封されて情報を盗まれたり、さらには改竄されたりすることのリスクをどう回避するかが、課題として検討されているところでもあり、容器としてどのような対策を講じるかが、商品化において重要な課題となっている。
【０００４】
かといって容器を単に厳重にするだけでは、容器の開封に刃物などを用いて切り裂いて開口部を作ることも可能ではあるが、煩雑さに加えて怪我などの危険が伴う上、内容物のカードに損傷を与える危険もあって、消費者に不便を強いるものである。加えて、コスト面でもかけられる費用には限界があるのが実情である。
【０００５】
また、たとえば特許文献には、パック具本体と抑板からなる容器が示されているが、カードのような厚みのない内容物に用いる場合には適さないことに加えて、プラスチックを用いた容器であって環境保護の点から好ましくない側面を持つ。
【先行技術文献】
【特許文献】
【０００６】
【特許文献１】実開昭６２−１４６７６４号公報
【発明の概要】
【発明が解決しようとする課題】
【０００７】
本発明は掛かる状況に鑑みてなされたものであり、カードを台紙で挟んだ状態の容器で保護することができ、開封および取出しが容易なカード容器を提供することを課題とするものである。
【課題を解決するための手段】
【０００８】
上記の課題を解決するための手段として、請求項１に記載の発明は、表側台紙および裏側台紙の間にカードを収納することのできるカード容器であって、容器の中央部分にはカードが収納される領域を設けてあり、容器の上部中央には吊り下げ用の、下部が直線となった穴を有しており、表側台紙には吊り下げ用穴とカードが収納される領域との中間に、吊り下げ用穴の下側端部の辺の一方の端部から、容器下方に伸び、カードが収納される領域近傍で水平方向に伸び、さらに容器上方に伸びて、吊り下げ用穴の下側端部の辺のもう一方の端部に至る、ミシン目で囲んだ領域を設けてあり、裏側台紙には吊り下げ用穴の下側の辺の両側２箇所から、カードが収納される領域に向けて下方に伸びる２本のミシン目を有しており、カードが収納される領域以外で、表側台紙と裏側台紙とが互いに接着されていることを特徴とするカード容器である。
【０００９】
また、請求項２に記載の発明は、表側台紙および裏側台紙が、折りたたみ線を介して連続した一枚の台紙からなることを特徴とする請求項１に記載のカード容器である。
【００１０】
また、請求項３に記載の発明は、カードが収納される領域が、台紙に凹部を設けてなることを特徴とする請求項１または請求項２に記載のカード容器である。
【００１１】
また、請求項４に記載の発明は、表側台紙または裏側台紙の、カードが収納される領域の一部に、透視窓が設けてあることを特徴とする請求項１〜請求項３のいずれかに記載のカード容器である。
【発明の効果】
【００１２】
本発明によれば、カードを台紙で挟んだ状態の容器で保護することができ、開封および取出しが容易なカード容器を提供することが可能である。
【００１３】
また、請求項２に記載の発明によれば、生産においてより効率的なカード容器を提供することが可能である。
【００１４】
また、請求項３に記載の発明によれば、よりカードを収納しやすいカード容器を提供することが可能である。
【００１５】
また、請求項４に記載の発明によれば、より内容物のカードを確認しやすいカード容器を提供することが可能である。
【図面の簡単な説明】
【００１６】
【図１】図１は本発明に係るカード容器の一実施形態を説明するための平面展開模式図である。
【発明を実施するための形態】
【００１７】
以下本発明を実施するための形態について、図を参照しながら詳細な説明を加える。ただし、本発明はここに示す例にのみ限定されるものではない。
【００１８】
図１は本発明に係るカード容器の、一実施形態を説明するための平面展開模式図である。本発明によるカード容器（２０）は、表側台紙（７）および裏側台紙（８）の間にカードを収納することのできるカード容器である。
【００１９】
カードが収納される領域（２）は容器の中央部分に設けてある。カードが収納される領域を設けるには、台紙に凹部を設ける。表側台紙（７）と裏側台紙（８）との間に、間隙を形成することによって、カードを収納しやすくなる。
【００２０】
またここに示した例では、表側台紙（７）および裏側台紙（８）は折り目線（５）を介して一枚の台紙から構成されている。裏側台紙（８）を図中の矢印（６）の方向に１８０°折り返すことによって、カード容器を形成することができる。表側台紙（７）と裏側台紙（８）は別ピースとして、重ね合わせてカード容器を形成するのでもよい。
【００２１】
カード容器の上部中央には吊り下げ用の、下部が直線となった穴を有している。吊り下げ用穴（１）があることよって、商品としてのカード容器の展示がより便利になる。吊り下げ用穴（１）は、表側台紙（７）および裏側台紙（８）双方に設けてあり、双方を重ね
てカード容器とする際に一致する位置に設けてある。本発明によるカード容器においては、開封は吊り下げ用穴（１）を始点として行うことができる。
【００２２】
表側台紙（７）には開封用ミシン目（３）が設けてある。開封用ミシン目（３）は、吊り下げ用穴（１）の下部の直線の一方の端部から、容器下方に伸び、カードが収納される領域（２）近傍で水平方向に伸び、さらに容器上方に伸びて、吊り下げ用穴（１）の下側端部の辺のもう一方の端部に至る。吊り下げ用穴（１）の下部の直線と開封用ミシン目（３）で囲う領域は、吊り下げ用穴（１）と、カードを収納する領域（２）との間に設ける。
【００２３】
裏側台紙（８）には吊り下げ用の穴（１）の下側の辺の両側２箇所から、カードが収納される領域（２）に向けて下方に伸びる２本の開封用ミシン目（４）を設ける。これら２本の開封用ミシン目の形状はとくに限定を加えるものではないが、開封に際してミシン目に沿った開封が円滑に行われ、内容物のカードを取り出しやすい開口部を形成することが可能な形状、構造であればよい。
【００２４】
したがって、開封した際になるべく大きく開口することが望ましく、たとえば開口の始まりの部分である吊り下げ用穴（１）から、ハの字に開く方向に形成されることが望ましい。逆に２本の開封用ミシン目（４）が交差することは開口部の面積が小さくなることに繋がり、好ましくない。開封用ミシン目（４）は、カードが収納される領域（２）内で終わってもよく、裏側台紙（８）の端部まで伸びていてもよい。図１で示した例は、端部まで伸びている例である。
【００２５】
開封時には吊り下げ用穴（１）をきっかけとして開封を行うことができる。吊り下げ用穴（１）の下側の辺を押し下げるように力を加えると、表側台紙（７）は開封用ミシン目（３）に、裏側台紙（８）は開封用ミシン目（４）に接続しているために、下側方向に台紙が破壊されて開口する。
【００２６】
とくに表側台紙（７）は、開封用ミシン目（３）に沿って囲まれた矩形の領域が表側台紙（７）から分離して、裏側台紙（８）側に接着したまま移行する。裏側台紙（８）は、吊り下げ用穴（１）から始まる開封用ミシン目（４）にそって、裏側台紙（８）が破れて開口部を形成し、この裏側台紙（８）にできた開口部から内容物であるカードを容易に取り出すことができる。
【００２７】
カード容器は、カードが収納される領域（２）以外で、表側台紙（７）と裏側台紙（８）とが互いに接着されていることが望ましい。これによって開封のために加える力が、より効果的に開封用ミシン目（３）および開封用ミシン目（４）に伝播して、円滑に開封作業を行なうことができる。
【００２８】
カードが収納される領域（２）は、表側台紙（７）に、凹部を設けて形成することができる。これによって、カードが収納しやすくなることに加えて、カードを収納した際にもカード容器が膨らんだり反ったりすることを避けることができる。
【００２９】
さらに図には示していないが、表側台紙（７）または裏側台紙（８）の、カードが収納される領域（２）の一部に、透視窓を設けることができる。たとえば裏側台紙（８）に設けてある場合には、容器裏側から内容物のカードを透視して見ることができる。透視窓は表側台紙（７）に設けることもできる。
【００３０】
このように、本発明によれば、カードを台紙で挟んだ状態の容器で保護することができ、開封および取出しが容易なカード容器を提供することができる。
【符号の説明】
【００３１】
１・・・吊り下げ用穴
２・・・カードが収納される領域
３・・・開封用ミシン目
４・・・開封用ミシン目
５・・・折り目線
６・・・矢印
７・・・表側台紙
８・・・裏側台紙
２０・・・カード容器
【図１】
2017039538.tif 000003